(57)【要約】【課題】フレームを始めとする各種の長尺部材等に対しその長手方向へ沿った任意の位置に取付金具、オプション部材その他の部材を簡単、確実に取り付けることを可能とする部材の取付構造を提供する。【解決手段】長尺部材である横架材３２，３３の連続開口３００を利用してその長手方向任意の位置に拡張部材６を取り付けるにあたり、横架材３２，３３には、連続開口３００の開口縁近傍に開口幅よりも拡開した内面Ｓｘを形成しておき、拡張部材６には、部材本体６１の一部に、横架材３２，３３の連続開口３００から内部に挿入可能かつ挿入位置において回転させることにより連続開口３００の開口縁近傍の内面Ｓｘに係わり合い可能な係止部６２と、この係止部６２に挿入動作及び係わり合い動作を付与するための操作部６３とを付帯させておくこととした。【選択図】図８
2004169803.tif 000002
【特許請求の範囲】
【請求項１】
第１の部材に設けた連続開口を利用して当該第１の部材の連続開口に沿った任意の位置に第２の部材を取り付けるようにしたものであって、
前記第１の部材は、前記連続開口の開口縁近傍に開口幅よりも拡開した内面を有するものであり、
前記第２の部材は、部材本体の一部に、前記第１の部材の連続開口から内部に挿入可能かつ挿入位置において回転させることにより連続開口の開口縁近傍の内面に係わり合い可能な係止部と、この係止部に前記挿入動作及び前記係わり合い動作を付与するための操作部とを付帯させていることを特徴とする部材の取付構造。
【請求項２】
操作部は回転操作を受け付けるものであり、操作部と係止部との間に、加えられる回転操作を係止部の挿入から係わり合いに至る一連の動作に変換する動作変換部を設けている請求項１記載の部材の取付構造。
【請求項３】
動作変換部が、部材本体の一部に設けたカム面と、係止部に設定したフォロアと、このフォロアを前記カム面に押し付ける押付手段とを具備している請求項２記載の部材の取付構造。
【請求項４】
カム面の始端と終端において、フォロアとカム面との間に、当該フォロアをクリックストップさせるクリックストップ部を設けている請求項３記載の部材の取付構造。
【請求項５】
操作部及び係止部が、部材本体とは別体の部材であり、当該部材本体に解離しないように組み込まれたものである請求項１〜４記載の部材の取付構造。
【請求項６】
前記第１の部材が、天板を支持する長尺な支持体であってこの支持体の長手方向に連続開口を備えたものであり、前記第２の部材が、この支持体の長手方向の所要位置に取り付けられる拡張部材である請求項１〜５記載の部材の取付構造。
【請求項７】
連続開口が、支持体の側面若しくは底面に設けられたものであり、拡張部材が、部材本体に設定した引っ掛け部を支持体の一部に引っ掛け、その状態で係止部を連続開口の開口縁近傍の内面に係わらせることによって、当該係止部を解除しない限り引っ掛け部が解除されないようにしたものである請求項６記載の部材の取付構造。
【請求項８】
拡張部材が、天板周辺にオプション部材を取り付けるための取付具として機能するものである請求項５〜７記載の部材の取付構造。
【請求項９】
拡張部材が、天板周辺に取り付けられてオプション部材として機能するものである請求項５〜７記載の部材の取付構造。
【発明の詳細な説明】
【０００１】
【発明の属する技術分野】
本発明は、長尺部材等に対しその長手方向へ沿った任意の位置に他の部材を簡単、確実に取り付けることができるようにした部材の取付構造に関するものである。
【０００２】
【従来の技術】
例えば、テーブルの縁部に沿った任意の位置に補助天板等のオプション部材を取り付ける必要がある場合、従来では、テーブルを支持するフレームの一部に長手方向に延びる連続開口を設け、任意の位置においてこの連続開口内に板ナットを挿入して、この板ナットに取付金具やオプション部材それ自体を貫通させたねじ要素をねじ込むことにより、取付金具やオプション部材それ自体と板ナットとの間にフレームの連続開口近傍の壁部を挟み込み、その状態でオプション部材のフレームへの取り付けを完了できるようにしているものがある（特許文献１）。
【０００３】
この場合、板ナットは、短辺が連続開口の開口幅よりも小さく、長辺が同開口幅よりも大きくしてあり、長辺を開口の連続方向に位置させて連続開口に挿入した後、９０°回転させることによって、連続開口近傍の壁部に抜脱し得ないように衝き当てて配置される。
【０００４】
【特許文献１】
特願平１０−１６８９６５号
【０００５】
【発明が解決しようとする課題】
ところが、板ナットは取付金具やオプション部材とは別体の部材であるため、連続開口内に挿入して所定の位置及び姿勢を維持するとともに、取付金具やオプション部材をフレームの対応部分に当てがい、その状態でねじ要素を取付金具やオプション部材に貫通させて板ナットにねじ込まなければならない。このため、作業が煩雑なものとなり、板ナットが位置ずれを起こすと再度作業をやり直さなければならない非効率なものにもなる。
【０００６】
本発明は、以上に述べた課題を解決し、前記フレームを始めとする各種の長尺部材等に対しその長手方向へ沿った任意の位置に取付金具、オプション部材その他の部材を簡単、確実に取り付けることができるようにした部材の取付構造を提供することを目的としている。
【０００７】
【課題を解決するための手段】
本発明は、かかる目的を達成するために、次のような手段を講じたものである。
【０００８】
すなわち、本発明に係る部材の取付構造は、第１の部材に設けた連続開口を利用して当該第１の部材の連続開口に沿った任意の位置に第２の部材を取り付けるにあたり、前記第１の部材は、前記連続開口の開口縁近傍に開口幅よりも拡開した内面を有するものであり、前記第２の部材は、部材本体の一部に、前記第１の部材の連続開口から内部に挿入可能かつ挿入位置において回転させることにより連続開口の開口縁近傍の内面に係わり合い可能な係止部と、この係止部に前記挿入動作及び前記係わり合い動作を付与するための操作部とを付帯させていることを特徴とする。
【０００９】
このようにすれば、第２の部材は、部材本体の一部に係止部及び操作部を一体的に取り扱えるように付帯させているため、部材本体を第１の部材に当てがい、操作部を操作するだけで、板ナットに相当する係止部を連続開口の内部へ挿入し、その位置で回転させて連続開口の開口縁近傍の内面に係わり合わせることができる。このため、作業が簡便であり、係止部や操作部が部材本体に対して位置ずれを起こすおそれも解消して作業効率を有効に向上させることができる。
【００１０】
無造作に操作しても係止部に所期の動作を確実に付与するためには、操作部が回転操作を受け付けるものであり、操作部と係止部との間に、加えられる回転操作を係止部の挿入から係わり合いに至る一連の動作に変換する動作変換部を設けておくことが望ましい。
【００１１】
動作変換部の具体的な実施の態様としては、当該動作変換部が、部材本体の一部に設けたカム面と、係止部に設定したフォロアと、このフォロアを前記カム面に押し付ける押付手段とを具備しているものが挙げられる。
【００１２】
取付前に係止部が中途半端な状態にあって連続開口に挿入できないという不具合を防止し、所定位置における取付作業を確実に完了しその状態を維持するためには、カム面の始端と終端において、フォロアとカム面との間に、当該フォロアをクリックストップさせるクリックストップ部を設けていることが好ましい。
【００１３】
加工及び取り扱いの便を有効に両立させるためには、操作部及び係止部が、部材本体とは別体の部材であり、当該部材本体に解離しないように組み込まれていることが望ましい。
【００１４】
本発明の好適な適用例としては、前記第１の部材が、天板を支持する長尺な支持体であってこの支持体の長手方向に連続開口を備えたものであり、前記第２の部材が、この支持体の長手方向の所要位置に取り付けられる拡張部材であるものが挙げられる。
【００１５】
外観を良好にするために、連続開口が支持体の側面若しくは底面に設けられている場合には、拡張部材は、部材本体に設定した引っ掛け部を支持体の一部に引っ掛け、その状態で係止部を連続開口の開口縁近傍の内面に係わらせることによって、当該係止部を解除しない限り引っ掛け部が解除されないようにしておくことが望ましい。
【００１６】
拡張部材の具体的な実施の態様としては、天板周辺にオプション部材を取り付けるための取付具として機能するもの、或いは、天板周辺に取り付けられてオプション部材として機能するもの等があげられる。
【００１７】
【発明の実施の形態】
以下、本発明の一実施形態を、図面を参照して説明する。
【００１８】
この実施形態の取付構造が適用されるテーブルＴ１は、図１〜図３に示すように、天板１と、この天板１を支持する脚構造体２とから構成される。
【００１９】
天板１は、木材やスチール等の一般的な素材によって形成された板状をなすものであり、上面に図示しないパーソナルコンピュータやディスプレイ等の機器、書類その他の物品を載置し得るようにしている。この天板１は、平面視部分扇形状をなしている。
【００２０】
脚構造体２は、天板１を下方から支持する枠体状の支持体３と、この支持体３の四隅から略鉛直下方に延びる合計四本の脚支柱４と、各脚支柱４の下端部に取り付けられて床面に接地する接地体たるアジャスタ５とにより構成される。
【００２１】
支持体３は、天板１の各隅部近傍の所定位置にそれぞれ下方から取り付けられるコーナー部材３１と、左右に隣接するコーナー部材３１、３１間、又は前後に隣接するコーナー部材３１、３１間をそれぞれ接続する横架材３２、３３とを具備する平面視概略矩形状をなすものである。これらの横架材３２、３３は、例えばアルミ素材の押し出し成形等により製造される中空部材であり、長手方向の任意の部位において同一断面形状を有するものである。具体的には、図４に示すように、略平坦な上壁３ａと、この上壁３ａの内縁側より斜め下方に傾斜する上向傾斜壁３ｂと、前記上壁３ａの外縁側に形成した凹段部３ｃとを具備し、凹段部３ｃの下方及び上向傾斜壁３ｂの下方に、それぞれ底壁部３ｄへと続く下向傾斜壁３ｅ、起立壁３ｆを形成している。底壁部３ｄは、下向きに連続開口３００を形成するように外起立壁３０１、頂壁３０２及び内起立壁３０３を概略チャネル形状に連続させたもので、内起立壁３０３は奥方（すなわち上方）に向けて漸次内部を幅狭とするように湾曲しているのに対して、外起立壁３０１には連続開口３００の開口幅を幅狭とする水平片３０４が突出して設けられている。そして、前記上向傾斜壁３ｂの所定箇所にねじ挿通孔３ｂ１を形成している。
【００２２】
一方、コーナー部材３１は、図２に示すように、平面視略正方形状の本体部３１１と、この本体部３１１から互いに直交する方向に水平に突出する接続部３１２、接続部３１３と、前記本体部３１１の一隅部から下方に突出させて設けた脚取付部３１４とにより構成される。接続部３１２、３１３は、いずれも横架材３２、３３の中空内部の内法形状に部分的に対応する断面形状を有し、前記ねじ挿通孔３ｂ１の対応位置にねじ孔３１２ａ、３１３ａを有するもので、これらの横架材３２、３３に接続部３１２、３１３を嵌め合わせ、上向傾斜壁３ｂの斜め上方からねじ挿通孔３ｂ１にボルトＢ３を挿入し、ねじ孔３１２ａ、３１３ａに締着して固定するようにしている。また、脚取付部３１４は、本体部３１１の隅部から鉛直下方に垂下させた下向き凸部３１４ａを有しており、この下向き凸部３１４ａを後述する脚支柱４に上方から挿入することで、コーナー部材３１に脚支柱４を取り付けるようにしている。
【００２３】
脚支柱４は、図１及び図２に示すように、上端部側に配置されるアウター部材４１と、このアウター部材４１の下端部に突没可能に挿入されるインナー部材４２と、アウター部材４１とインナー部材４２との相対移動を規制するストッパ部材４３とを具備している。そして、インナー部材４２をアウター部材４１に対して突没させた所望の位置でストッパ部材４３によりアウター部材４１とインナー部材４２とを固定することで、天板１の高さ位置を調節するようにしている。この脚支柱４の下端部にはアジャスタ５を取り付けている。
【００２４】
しかして本実施形態においては、前記横架材３２、３３を本発明に係る第１の部材とし、これら横架材３２，３３に形成した連続開口３００を利用して、それらの横架材３２、３３の長手方向に沿った任意の取付位置に、本発明に係る第２の部材である拡張部材６を取り付けるようにしている。この拡張部材６は、天板１の周辺に補助天板８等のオプション部材を取り付ける取付具として機能するものである。
【００２５】
詳述すると、拡張部材６は、図２等に示すように、部材本体６１の一部に、前記横架材３２，３３の連続開口３００から内部に挿入可能かつ挿入位置において回転させることにより連続開口３００の開口縁近傍の内面Ｓｘに係わり合い可能な係止部６２と、この係止部６２に前記挿入動作及び前記係わり合い動作を付与するための操作部６３と、これら操作部６３及び係止部６２の間にあって操作部６３に加えられる回転操作を係止部６２の挿入から係わり合いに至る一連の動作に変換する動作変換部６４とを具備している。
【００２６】
部材本体６１は、図４、図５、図６及び図８に示すように、例えば、アルミ素材等からなる一体成型品であり、前記横架材３２、３３の下向傾斜壁３ｅに略対応する斜面６１ａと、斜面６１ａの上端より内向きに略水平に突出して前記横架材３２、３３の凹段部３ｃに引っ掛け可能な引っ掛け部６１ｂと、横架材３２，３３の下端部３ｄを覆う位置に配置される水平壁６１ｃと、補助天板８を突き当ててねじ止めするために前記引っ掛け部６１ｂの外面を含みその下方鉛直領域にＵ字形に形成した当たり部６１ｄとを有するものである。当たり部６１ｄの中央に設けたスリット６１ｅは、この部材本体６１の軽量化のために設けられた肉盗みである。当該拡張部材６の引っ掛け部６１ｂを横架材３２、３３の凹段部３ｃに引っ掛け、斜面６１ａ及び水平壁６１ｃをそれぞれ横架材３２、３３の下向斜面３ｅ及び底壁部３ｄに添設させた状態で、前記水平壁６１ｃの略中央部には、前記連続開口３００に連通する貫通孔６３１が肉厚方向に貫通して設けられている。この貫通孔６３１は、小径部６３１ａと、水平壁６１ｃの上面側において前記小径部６３１ａに連続する大径部６３１ｂとからなる。また、当たり部６１ｄの上端部には、水平方向に貫通するねじ挿通孔６１ｄ１がスリット６５を隔てた左右位置に一対に設けている。
【００２７】
係止部６２は、図２、図４、図５、図７及び図８に示すように、軸部６２ａと、この軸部６２ａの先端より軸部６２ａに対し直角な方向に延びる概略直方体状の頭部６２ｂとを一体に有したもので、軸部６２ａの基端６２ａ１は四角柱状をなしている。寸法的には、頭部６２ｂを平面視した場合の短辺６２ｂ１と軸部６２ａの径とを、前記連続開口３００の開口幅よりも幅狭にし、頭部６２ｂを平面視した場合の長辺６２ｂ２を、前記連続開口３００の開口幅とほぼ同等ないし若干幅広とし、かつ連続開口３００の連続方向に対して直交する方向に配置されたときに当該連続開口３００の内部に収容可能な寸法とされている。頭部６２ｂの下半部は、下方に向かって滑らかに凸となる曲面を形成している。
【００２８】
操作部６３は、図６〜図９に示すように、平面視長円形状をなし、長手方向中央部に幅寸法を狭小とする切欠部６３ａを形成した板状のもので、一端側に前記係止部６２の軸部６２ａの基端部６２ａ１を緊密に嵌め込むための角孔６３ｂが肉厚方向に貫通して設けられ、他端側に指を入れることができる程度の丸孔６３ｃが肉厚方向に貫通して設けられている。
【００２９】
そして、前記係止部６２の軸部６２ａを前記部材本体６１の水平壁６１ｃに設けた貫通孔６３１に上方から差込み、当該水平壁６１ｃの下面に添設した操作部６３の角孔６３ｂにその基端部６２ａ１を差し込んで下方からねじ止めすることにより、係止部６２と操作部６３とを軸心ｍ回りに一体回転可能に結合している。この結合状態において、前記操作部６３は、部材本体６１の水平壁６１ｃにおける片半部底面に設けた底面凹部６１ｃｘに収容され、この底面凹部６１ｃｘにおいて、操作部６３の長手方向が連続開口３００の連続方向と平行をなす挿脱操作位置Ｐと、操作部６３の長手方向が連続開口３００の連続方向と直交する係止操作位置Ｑとの間で略９０°にわたり回転操作可能とされている。そして、これに伴って係止部６２の頭部６２ｂが、その長辺６２ｂ２を連続開口３００の連続方向と平行とする挿脱位置Ｒと、その長辺６２ｂ２を連続開口３００の連続方向と直交させる係止位置Ｓとの間で略９０°にわたり回転駆動されるようにしている。
【００３０】
動作変換部６４は、図６〜図９に示すように、部材本体６１の一部に設けたカム面６４ａと、操作部６３に設定したフォロア６４ｂと、このフォロア６４ｂを前記カム面６４ａに押し付ける押付手段たるコイルバネ６４ｃとを具備している。カム面６４ａは、前記部材本体６１の水平壁６１ｃの底面凹部６１ｃｘに部分的に設けた突条６１０の上面から前記底面凹部６１ｃｘの一部領域に亘る部位（図６における網掛け領域）に設定されているもので、突条６１０は操作部６３が前記挿脱操作位置Ｐにあるときに該操作部６３を最も低い位置に案内し、ここから操作部６３を徐々に係止操作位置Ｑに向けて回転操作するにつれて、該操作部６３を徐々に高い位置に案内するものである。そのためにこの突条６１０は、操作部６３の操作方向に向かって徐々に底面凹部６１ｃｘからの突出量を減らしており、突条６１０が消失した位置からは、底面凹部６１ｃｘの表面によって操作部６３を一定の高さ位置のままで回転させるようにしている。フォロア６４ｂは、前記操作部６３の切欠部６３ａに嵌め込んだキャップ６５の一部に設定しているもので、このキャップ６５は樹脂等の滑動性素材からなり、前記カム面６４ａに相対する面がフォロア６４ｂとしての役割をなしている。コイルバネ６４ｃは、前記貫通孔６３１に係止部６２を挿通した状態で、その頭部６２ｂの下面と当該貫通孔６３１の大径部６３１ｂとの間に介在させたもので、頭部６２ｂを上方に向かって弾性付勢することで、この係止部６２に連設された操作部６３を部材本体６１の底面凹部６１ｃｘに向けて押し付け、ひいては操作部６３に設けたフォロア６４ｂを底面凹部６１ｃｘに設けたカム面６４ａに押し付けるようにしている。
【００３１】
また、前記カム面６４ａの始端と終端において、フォロア６４ｂとカム面６４ａとの間に、当該フォロア６４ｂをクリックストップさせるクリックストップ部Ａ、Ｂを設けている。クリックストップ部Ａは、操作部６３の切欠部６３ａに嵌め込んだキャップ６５に形成した突起６５ａと、突条６１０のカム面６４ａの始端に設けた溝６４ａｘとの嵌め合いによって構成され、クリックストップ部Ｂは、前記突起６５ａと、底面凹部６１ｃｘのカム面６４ａの終端に設けた溝６４ａｙとの嵌め合いによって構成されている。
【００３２】
以上の構成を通じて、この取付構造は、拡張部材６の引っ掛け部６１ｂを横架材３２、３３の凹段部３ｃに引っ掛け、斜面６１ａ及び水平壁６１ｃをそれぞれ横架材３２、３３の下向斜面３ｅ及び底壁部３ｄに添設させた状態で、板ナットに相当する係止部６２を連続開口３００の内部に挿入し、その位置で操作部６３を挿脱可能位置Ｐから係止操作位置Ｑまで回転操作することで、係止部６２の頭部６２ｂを挿脱位置Ｒから係止位置Ｓに移動させて、当該頭部６２ｂの下面を連続開口３００の開口縁近傍の内面Ｓｘ、具体的には水平片３０４の上面に係わり合わせて、横架材３２，３３への拡張部材６の取り付けを完了することができるものである。また、逆の操作を行うことによって、この拡張部材６を横架材３２，３３から容易に取り外すことが可能となる。
【００３３】
そして、本実施形態においては、この拡張部材６を利用して、オプション部材である補助天板８を取り付けるようにしている。
【００３４】
補助天板８は、図１０に示すように、主として、正面視円形状の補助天板本体８１と、前記拡張部材６の当たり壁６４に取り付けられる取付アーム８２と、取付アーム８２とともに補助天板本体８１を保持する一組の保持部材８３、８４とにより構成される。
【００３５】
この補助天板８１は、次のようにして前記拡張部材６に取り付けられる。
【００３６】
先ず、取付アーム８２の両側端を、ボルトＢ４、Ｂ５を用いて各起立片８２１、８２２によって支持させ、このとき一方の起立片８２１を拡張部材６の当たり面６１ｄに当てるようにして取り付ける。そして、上部保持部材８３と下部支持部材８４とを、取付アーム８２の上下から宛うようにしてボルトＢ６で締着して固定し、上部保持部材８３の上面にボルトＢ７を用いて補助天板本体８１を固定して取り付ける。なお、補助天板８の取り付けに際しては、拡張部材６を横架材３２、３３に取り付ける前に、予め拡張部材６のねじ挿通孔６４１にボルトＢ４を貫通させて、そのボルトＢ４を利用して拡張部材６と取付アーム８２とを一体的に取り付けるようにしておけばよい。また、上記と逆の作業を行うことにより、補助天板８を取り外すことができる。
【００３７】
以上のようにして、この実施形態の取付構造は、横架材３２，３３に設けた連続開口３００を利用して当該連続開口３００に沿った任意の位置に拡張部材６を取り付けるようにしている。そして、横架材３２，３３における連続開口３００の開口縁近傍に、当該連続開口３００の開口幅よりも拡開した内面Ｓｘを設け、一方の拡張部材６には、部材本体６１の一部に、前記横架材３２，３３の連続開口３００から内部に挿入可能かつ挿入位置において回転させることにより連続開口３００の開口縁近傍の内面Ｓｘに係わり合い可能な係止部６２と、この係止部６２に前記挿入動作及び前記係わり合い動作を付与するための操作部６３とを付帯させておくようにしたものである。
【００３８】
このようにすれば、部材本体６１を横架材３２，３３に当てがい、操作部６３を操作するだけで、板ナットに相当する係止部６２を連続開口３００内へ挿入し、その位置で回転させて連続開口３００の開口縁近傍の内面Ｓｘに係わり合わせることができる。このため、作業が簡便であり、係止部６２や操作部６３が部材本体６１に対して位置ずれを起こすおそれも解消して、作業効率を有効に向上させることが可能となる。したがって、初期取付時はもとより、頻繁にオプション部材の取替えや位置変更を行う場合にも、これらに好適に対応することができるようになる。
【００３９】
また、操作部６３が回転操作を受け付けるものであり、操作部６３と係止部６２との間に、加えられる回転操作を係止部６２の挿入から係わり合いに至る一連の動作に変換する動作変換部６４を設けているため、無造作に操作部６３を操作しても係止部６２に所期の回転及び昇降動作を確実に付与することができ、操作もより平易なものにすることができる。
【００４０】
特に、上記動作変換部６４は、部材本体６１の一部に設けたカム面６４ａと、係止部６２に設定したフォロア６４ｂと、このフォロア６４ｂを前記カム面６４ａに押し付けるコイルバネ６４ｃとから構成しているだけであるため、構造が簡素かつ堅牢であり、長期に亘って確実な取付機能を維持することができる。
【００４１】
また、カム面６４ａの始端と終端において、フォロア６４ｂとカム面６４ａとの間に、当該フォロア６４ｂをクリックストップさせるクリックストップ部Ａ、Ｂを設けているため、取付前に係止部６２の頭部６２ｂが中途半端な方向を向いて連続開口３００に挿入できないといった不具合を解消するとともに、所定位置における取付作業を確実に完了しその状態を維持することができる。
【００４２】
とりわけ、本実施形態の操作部６３及び係止部６２は、部材本体６１とは別体の部材であって、当該部材本体６１に解離しないように組み込んだものであるため、部材本体６１、係止部６２及び操作部６３の加工の便と、これらの取り扱いの便とを有効に両立させることができる。
【００４３】
さらに、上記実施形態のように、連続開口３００が外観を良好にするために支持体３の底面に設けられているものであっても、拡張部材６の部材本体６１に設けた引っ掛け部６１ｂを横架材３２，３３の凹段部３ｃに引っ掛け、その状態で係止部６２を連続開口３００の開口縁近傍の内面Ｓｘに係わらせることによって、当該係止部６２を解除しない限り引っ掛け部６１ｂが解除されないようにしているため、操作位置は１箇所のみでも拡張部材６を２箇所において落下しないように確実に取り付けることができ、作業の容易性も確保しておくことができる。
【００４４】
なお、各部の具体的な構成は、上述した実施形態のみに限定されるものではなく、本発明の趣旨を逸脱しない範囲で種々変形が可能である。
【００４５】
例えば、上記実施形態の水平片を連続開口の両側に設けて係止部の頭部が開口縁近傍の２箇所で開口縁近傍の内面に係止されるようにすれば、係止状態はより確実なものとなり、引っ掛け部を設けずとも拡張部材を横架材に取り付けることができるようになる。
【００４６】
また、第１の部材は、長手方向に連続開口を備えたものであれば天板を支持する支持体の横架材に限らず、前記第２の部材は、拡張部材のごとき機能拡張を目的としたものに限らない。機能拡張を目的として拡張部材を用いる場合には、この拡張部材は、オプション部材それ自体とすることもできる。オプション部材としては、補助天板の他に、例えば、タスクライトやコンセントホルダを適用しても構わない。オプション部材を、必要に応じ適宜の脚構造体に支持させるようにすれば、オプション部材をより支持強度を有効に高め、安定した取付状態を実現することができる。
【００４７】
【発明の効果】
本発明は、以上説明した構成であるから、フレームを始めとする各種の長尺部材等に対しその長手方向へ沿った任意の位置に取付金具、オプション部材その他の部材を簡単、確実に取り付けることを可能とする部材の取付構造を提供することができる。
【図面の簡単な説明】
【図１】本発明の一実施形態に係る取付構造が適用されるテーブルの斜視図。
【図２】同テーブルの要部分解斜視図。
【図３】同テーブルの平面図。
【図４】同テーブルの横架材と本発明に係る拡張部材の部材本体との関係を示す断面図。
【図５】同拡張部材の斜め上方斜視図。
【図６】同拡張部材の斜め下方斜視図。
【図７】同拡張部材の要部分解斜視図。
【図８】同実施形態における部材取付状態を示す断面図。
【図９】同実施形態の作用説明図。
【図１０】同拡張部材を用いた補助天板の取付構造を示す斜視図。
【符号の説明】
３２，３３…第１の部材（横架材）
６…第２の部材（拡張部材）
３００…連続開口
Ｓｘ…内面
６１…部材本体
６２…係止部
６３…操作部
６４…動作返還部
６４ａ…カム面
６４ｂ…フォロア
６４ｃ…押付手段
Ａ、Ｂ…クリックストップ部
６１ｂ…引っ掛け部
８…オプション部材（補助天板）
【図１】
2004169803.tif 000003
【図２】
2004169803.tif 000004
【図３】
2004169803.tif 000005
【図４】
2004169803.tif 000006
【図５】
2004169803.tif 000007
【図６】
2004169803.tif 000008
【図７】
2004169803.tif 000009
【図８】
2004169803.tif 000010
【図９】
2004169803.tif 000011
【図１０】
2004169803.tif 000012